(57)【要約】【課題】昆虫等を飼育する飼育ケース内で発生した害虫が、ケース外へ出るのを防止すると共に、飼育ケース内の昆虫等に安全で且つ快適な環境を与えられるようにする。【解決手段】ケース蓋６内の天井スペース７に収容され且つケース本体５内へ向けて容器下部を開放させた状態に設けられる捕獲容器１６と、捕獲容器１６のまわりを取り囲んでケース本体５内で発生する害虫が通過できない状態にケース本体５とケース蓋６との上下間を区画する仕切り部材１５と、捕獲容器１６の容器下部とケース本体５の内部とを区画しつつも害虫用の侵入孔が貫通して設けられた遮蔽部１７と、捕獲容器１６の内部に設けられ容器内を飛翔する害虫を粘着する粘着面を有するトラップ部材１８とを有している。【選択図】図１
2010130947.tif 000002
【特許請求の範囲】
【請求項１】
上部が開口したケース本体（５）を、内部に天井スペース（７）を有したケース蓋（６）で施蓋する飼育ケース（２）に対して取り付けられる害虫駆除装置であって、
前記飼育ケース（２）を施蓋した状態において、前記ケース蓋（６）の天井スペース（７）内に収容され、且つ前記ケース本体（５）内へ向けて下部を開放させた状態に設けられる捕獲容器（１６）と、当該捕獲容器（１６）のまわりを取り囲んで前記ケース本体（５）内の害虫が前記天井スペース（７）側へ移動できないように前記ケース本体（５）と前記ケース蓋（６）との上下間を区画する仕切り部材（１５）とを備え、
前記捕獲容器（１６）の下部には、前記ケース本体（５）の内部とを区画しつつ当該捕獲容器（１６）内に害虫が侵入し得る侵入孔（２７）を有する遮蔽部（１７）が設けられ、前記捕獲容器（１６）の内部には、前記侵入孔（２７）から前記捕獲容器（１６）内に侵入した害虫を粘着する粘着面を有するトラップ部材（１８）が設けられていることを特徴とする害虫駆除装置。
【請求項２】
前記仕切り部材（１５）には、前記捕獲容器（１６）の下部に対応して容器取付口（２１）が設けられ、前記捕獲容器（１６）の下部には、当該下部の外周から外方へ張り出すように前記仕切り部材（１５）における容器取付口（２１）の開口周部に上から重ね合わせ可能となるフランジ部（２５）が設けられ、
前記遮蔽部（１７）には、前記捕獲容器（１６）の容器下部に嵌合する嵌合部（１７ａ）と、この嵌合部（１７ａ）の外周から外方へ張り出して前記仕切り部材（１５）における容器取付口（２１）の開口周部に下から重ね合わせ可能となって前記捕獲容器（１６）のフランジ部（２５）との間で仕切り部材（１５）を挟持する外周部（１７ｂ）とが設けられていることを特徴とする請求項１記載の害虫駆除装置。
【請求項３】
前記トラップ部材（１８）は、下面が上方へ凹む形状に形成されており、この凹み形状の下面に粘着面が設けられていることを特徴とする請求項１又は請求項２記載の害虫駆除装置。
【請求項４】
前記捕獲容器（１６）の容器内面、前記遮蔽部（１７）、前記トラップ部材（１８）のうち少なくとも一つが害虫の好む色で形成されていることを特徴とする請求項１乃至請求項３のいずれか１項に記載の害虫駆除装置。
【請求項５】
前記仕切り部材（１５）には、害虫の通過は阻止するが空気は通す通気孔（２２）が設けられていることを特徴とする請求項１乃至請求項４のいずれか１項に記載の害虫駆除装置。
【請求項６】
請求項１乃至請求項５のいずれか１項に記載の害虫駆除装置（１）が、ケース本体（５）とケース蓋（６）との上下間を区画する状態で取り付けられていることを特徴とする飼育ケース。
【発明の詳細な説明】
【技術分野】
【０００１】
本発明は、昆虫類やその他の小動物類を飼育するための飼育ケースに対し、好適に使用することができる害虫駆除装置と、この害虫駆除装置を装着して成る飼育ケースに関するものである。
【背景技術】
【０００２】
カブトムシ、クワガタムシなどの昆虫類やカエル、亀などの小動物類（以下、これらを総じて単に「昆虫等」という）を飼育ケースで飼育する場合、飼育ケース内に入れた土、木くず、餌、水などからコバエや蚊等といった害虫が発生することがある。
通常、飼育ケースには多数の通気口が形成されているが、飼育ケース内で発生した害虫が通気口から飛び出して極めて不快であり、また不衛生でもあった。
そこで、飼育ケース内へ小型の害虫捕獲器を入れることがあった。この種の害虫捕獲器としては、粘着シートの上に、害虫用の誘引孔が設けられたドーム形のカバーを被せたものが知られている（例えば特許文献１等参照）。また場合によっては、粘着シートを両面テープなどによって直接、飼育ケースの内面に貼り付けて、所謂、ハエ取り紙のような使い方をすることも行われていた。
【特許文献１】特開２００６−１９１８８３号公報
【発明の開示】
【発明が解決しようとする課題】
【０００３】
従来公知の害虫捕獲器を飼育ケース内へ入れると、当然の如く、飼育ケース内が狭くなり、昆虫等の飼育には不向きとなる。また、昆虫等が害虫捕獲器の上を歩き回ることで、害虫捕獲器内に土や木くずが混入してしまい、粘着シートの粘着性を低下させてしまうこともあった。さらに、飼育ケース内で発生した害虫の多くは飛翔することから、飼育ケース内に置かれた害虫捕獲器の誘引孔に思うように入らず、捕獲性が悪いという問題もあった。
これらの問題を回避する手段として、害虫捕獲器を両面テープなどで飼育ケースの内面のある程度高い位置に貼り付けることが考えられる。しかし、かかる解決手段では、害虫捕獲器が邪魔になって飼育ケース内部を観察できる機能が失われ、飼育ケース自体の価値を下げてしまうおそれがあった。
【０００４】
一方、粘着シートを飼育ケースの内面に貼り付けてハエ取り紙のように使う方法では、飼育している昆虫等までもがこの粘着シートに捕獲されてしまい、飼育している昆虫等を衰弱させてしまうといった問題もあった。
本発明は、上記事情に鑑みてなされたものであって、昆虫等を飼育する飼育ケース内で発生した害虫が、飼育ケース外へ飛び出して付近を飛翔するといったことを防止して、不快感や不衛生さを払拭できるようにすると共に、飼育ケース内の昆虫等に対しても安全で且つ快適な環境を与えられるようにした害虫駆除装置と、この害虫駆除装置を装着した飼育ケースを提供することを目的とする。
【課題を解決するための手段】
【０００５】
前記目的を達成するために、本発明は次の手段を講じた。
即ち、本発明に係る害虫駆除装置は、上部が開口したケース本体を、内部に天井スペースを有したケース蓋で施蓋する飼育ケースに対して取り付けられる害虫駆除装置であって、前記飼育ケースを施蓋した状態において、前記ケース蓋の天井スペース内に収容され、且つ前記ケース本体内へ向けて下部を開放させた状態に設けられる捕獲容器と、当該捕獲容器のまわりを取り囲んで前記ケース本体内の害虫が前記天井スペース側へ移動できないように前記ケース本体と前記ケース蓋との上下間を区画する仕切り部材とを備え、前記捕獲容器の下部には、前記ケース本体の内部とを区画しつつ当該捕獲容器内に害虫が侵入し得る侵入孔を有する遮蔽部が設けられ、前記捕獲容器の内部には、前記侵入孔から前記捕獲容器内に侵入した害虫を粘着する粘着面を有するトラップ部材が設けられている。
【０００６】
このような構成であると、飼育ケース内で発生した害虫は、ケース本体から飛び出すことがなく、遮蔽部の侵入孔を介して捕獲容器の内部へ誘い込まれ、この捕獲容器内に設けられたトラップ部材の粘着面で捕獲されることになる。そのため、害虫が飼育ケース外へ飛び出して付近を飛翔するといったことを防止できることになり、結果、昆虫等を飼育する者にとっての不快感や不衛生さを払拭できる。
また、捕獲容器は、ケース蓋内の天井スペースへ設けるのでケース本体内が徒に狭くなることはない。また、ケース本体内に捕獲容器を設けないので、ケース本体内で飼育する昆虫等が捕獲容器の上を歩き回るようなこともない。従って、飼育ケース内の昆虫等にとって、安全で且つ快適な環境を与えることができる。
【０００７】
なお、遮蔽部は、仕切り部材や捕獲容器とは別部材のものとして形成することが可能であるが、これ以外にも、仕切り部材と一体形成させることや、捕獲容器と一体形成させることも可能である。
前記仕切り部材には、前記捕獲容器の下部に対応して容器取付口が設けられ、前記捕獲容器の下部には、当該下部の外周から外方へ張り出すように前記仕切り部材における容器取付口の開口周部に上から重ね合わせ可能となるフランジ部が設けられ、前記遮蔽部には、前記捕獲容器の容器下部に嵌合する嵌合部と、この嵌合部の外周から外方へ張り出して前記仕切り部材における容器取付口の開口周部に下から重ね合わせ可能となって前記捕獲容器のフランジ部との間で仕切り部材を挟持する外周部とが設けられているものとすればよい。
【０００８】
このようにすると、飼育ケースに対して仕切り部材を取り付けるに際し、ケース本体とケース蓋との上下間で仕切り部材を挟持させるという方法を採用でき、取り扱いが極めて容易となり、特別な取付構造が不要である。また、仕切り部材に対して捕獲容器及び遮蔽を取り付ける場合も、捕獲容器のフランジ部と遮蔽部との上下間で仕切り部材（容器取付口の開口周部）を挟持させるという方法を採用でき、取り扱いの容易性や、特別な取付構造が不要であるといった利点が得られることになる。
なお、仕切り部材は、樹脂シートの他、紙や布、不織布等で形成したり樹脂や金属等の薄板で形成したりすることも可能である。
【０００９】
前記トラップ部材は、下面が上方へ凹む形状に形成されており、この凹み形状の下面に粘着面が設けられたものとすることができる。
このようにすることで、粘着面の面積を広く形成させることができ、害虫の捕獲能力を高めることができる。また、飼育容器内で発生する害虫の多くは飛翔するものであるため、その羽根が粘着面に接触する可能性が高くなり、それだけ害虫の捕獲性が高くなる。
なお、トラップ部材において、「その下面が上方へ凹む形状」とは、屋根型（シート材を二つ折りして「く」字状に傾斜させた形状）としたり、ドーム型（半球体や蒲鉾型とした形状）としたりすることを言う。
【００１０】
前記捕獲容器の容器内面、前記遮蔽部、前記トラップ部材のうち少なくとも一つが害虫の好む色で形成されたものとするのが好適である。
このようにすることで、捕獲容器内に害虫を誘引し易くなり、その捕獲性を可及的に高めることができる。なお、「害虫の好む色」とは、例えば黄色系である。
前記仕切り部材には、害虫の通過は阻止するが空気は通す通気孔が設けられたものとするのが好適である。
このようにすることで、飼育ケースで飼育する昆虫等の呼吸を確保することができる。
【００１１】
なお、このような通気孔は捕獲容器に対しても設けてもよい。また、通気性を有した素材（例えば不織布など）を用いて仕切り部材を形成する場合であれば、わざわざ通気孔を設けなくてもよい。
また、上記のような害虫駆除装置をケース本体とケース蓋との上下間を区画する状態で取り付けられた飼育ケースとすることができる。
【発明の効果】
【００１２】
本発明に係る害虫駆除装置及び飼育ケースでは、飼育ケース内で発生した害虫が、飼育ケース外へ飛び出して付近を飛翔するといったことを防止できるので、不快感や不衛生さを払拭できると共に、飼育ケース内の昆虫等に対しても安全で且つ快適な環境を与えられるものとなる。
【発明を実施するための最良の形態】
【００１３】
以下、本発明の実施の形態を、図面に基づき説明する。
図１及び図２は、本発明に係る害虫駆除装置１を装着した飼育ケース２の一実施形態を示している。
飼育ケース２は、透明樹脂やガラスなどにより上部が開口した箱形に形成されたケース本体５と、このケース本体５の上部を施蓋するケース蓋６とで主として構成される。
ケース蓋６は、蓋中央部が外周縁６ａよりも上方へ膨出する形状となっており、内部に天井スペース７を有している。ケース蓋６は、その外周縁部６ａでケース本体５の上周縁部５ａに係合するようになっており、施蓋した状態において、ケース本体５よりも上部に所定高さの天井スペース７が確保できるようになっている。
【００１４】
このケース蓋６には、飼育対象となる昆虫等が逃げ出さない程度の開口大きさを有した複数の換気口８が形成されていると共に、給餌や昆虫等の出し入れなどに便利に使用できる中央開閉部９が設けられている。なお、この飼育ケース２において、ケース本体５及びケース蓋６（天井スペース７付き）を有している点を除けば、その他の細部構造や形状、材質などは害虫駆除装置１を構成するための前提条件ではない。
害虫駆除装置１は、仕切り部材１５と、この仕切り部材１５に設けられる捕獲容器１６と、これら仕切り部材１５と捕獲容器１６のうちいずれか一方に一体形成されるか又は独立した別部材として形成される遮蔽部１７と、捕獲容器１６の容器内に設けられるトラップ部材１８とを有している。
【００１５】
仕切り部材１５は、ケース本体５とケース蓋６との上下間を区画するためのものであり、またこの区画状態においてはケース本体５内で発生する害虫を上方（即ち、ケース蓋６側）へは通過させない状態に保持できるようになったものである。
本実施形態において仕切り部材１５は、樹脂シートによって形成されたものを示してある。樹脂シートとしては、扱いに便利で破れにくく且つ廉価でもあるポリエチレンシートなどを採用するとよい。なお、飼育ケース２には種々の大きさ（ケース本体５の容量）があり、これら全てに対応できるようにするため、樹脂シートには、最大サイズの飼育ケース２への使用が可能なシート大きさ（例えば４４０ｍｍ×３００ｍｍ）のものを採用しておき、小さな飼育ケース２に対しては必要に応じて余った外周部分を適宜切断して用いるようにするとよい。
【００１６】
図３に示すように、この仕切り部材１５にはシート中央部であって捕獲容器１６を取り付ける位置に、容器取付口２１が形成されている。この容器取付口２１は、捕獲容器１６の容器下部に設けられるフランジ部２５（後述する）に比べて、その外周輪郭より一回り小さい程度の開口大きさに形成されている。
また図５に示すように、この仕切り部材１５には、害虫の侵入は阻止するが空気は通す多数の通気孔２２が設けられている。具体的には、通気孔２２の孔径は０．５ｍｍ程度とすればよい。通気孔２２を設ける孔ピッチ（仕切り部材１５としての開口率）は特に限定されるものではないが、本実施形態では縦方向及び横方向へ共に２．５ｍｍピッチをおくように分散させた。このような通気孔２２を設けることで、飼育ケース２（ケース本体５内）で飼育する昆虫等の呼吸を確保することができる。また、ケース本体５内を適度な湿度に保つうえでも有益となる。
【００１７】
捕獲容器１６は、図１に示すように、仕切り部材１５に取り付け、且つこの仕切り部材１５をケース本体５とケース蓋６との間に設けた状態としたとき、ケース蓋６内の天井スペース７に収容可能になっている。
図３及び図４に示すように、この捕獲容器１６は、容器下方が全面的に開放されたものであって、且つ、容器下部の外周部には、その全周で外方へ張り出すようにしてフランジ部２５が設けられている。なお、容器下方の開放部分以外には、容器内外を貫通する孔（ケース本体５内で発生した害虫が通り抜けられるような孔）は一切、設けられていない。
【００１８】
フランジ部２５は、仕切り部材１５の容器取付口２１に対してその上に捕獲容器１６を載せたとき（仕切り部材１５の容器取付口２１と捕獲容器１６における容器下部の開放部分とを合致させて連通状態にしたとき）に、容器取付口２１の開口周部に引っ掛かり、重ね合わされるようになっている。
なお、本実施形態において捕獲容器１６は、家を模した形状（ハウス型）に形成されたものとしてあるが、これは外観上の意外性や面白み、飼育ケース２とのマッチング性などを醸し出すための試みである。従って例えば半球ドーム形にするなど、他の形状を採用することも可能である。
【００１９】
また、捕獲容器１６は、透明乃至半透明（着色透明を含む）の素材で形成されたものとしてあり、捕獲された害虫の数などの容器内部の様子を容器外から観察できるようになっている。
遮蔽部１７は、仕切り部材１５に対して捕獲容器１６が設けられる部分で、この捕獲容器１６の容器下部（容器内）とケース本体５の内部とを区画する状態に設けられる。本実施形態では、仕切り部材１５や捕獲容器１６とは別個独立した部材として形成されたものを示してある。
【００２０】
この遮蔽部１７は、捕獲容器１６の容器下方の全面開放された部分に嵌合して係合可能となる嵌合部１７ａを有しており、この嵌合時には、嵌合部１７ａのまわりで全周的に張り出すようになっている遮蔽部１７としての外周部１７ｂが、捕獲容器１６に設けられたフランジ部２５と合致して重なり合うようになっている。
従って、仕切り部材１５の容器取付口２１上に捕獲容器１６を被せ置いて、容器取付口２１の開口周部にフランジ部２５を載せる（係合させる）状態とさせ、仕切り部材１５の下から捕獲容器１６に対して遮蔽部１７の嵌合部１７ａを嵌合させるようにすると、捕獲容器１６のフランジ部２５と遮蔽部１７の外周部１７ｂとで仕切り部材１５の開口周部を挟持した状態が得られるようになる。
【００２１】
このような遮蔽部１７には、図６に示すように、ケース本体５内で発生する害虫用の侵入孔２７が貫通して設けられている。この侵入孔２７は、害虫を捕獲容器１６内へ誘いれるためのものであるため、害虫が素通りできる程度の開口大きさにしておくのが好適である。例えば、捕獲対象となる害虫がコバエの場合、開口幅が１．５ｍｍ以上、好ましくは２ｍｍ以上の丸孔や角穴又は長孔などとしておけばよい。
但し、一旦、捕獲容器１６内へ入り込んだ害虫が、あまりにも簡単に捕獲容器１６からケース本体５内へ戻ってしまうのを防止するために、開口大きさを極端に大きくするのは好ましくない。そのためこの侵入孔２７は、その孔径又は孔幅として５ｍｍ以下程度に留めておくのが好適となる。侵入孔２７の孔数は特に限定されるものではない。
【００２２】
トラップ部材１８は、捕獲容器１６の容器内に侵入し飛翔する害虫に向けて、粘着面を曝露させるようにしたものである。具体的には、台紙１８ａに対して自着性及び粘性を長期間保持できるような粘着剤１８ｂを付着させたものである。台紙１８ａは、例えば黄色系など、害虫の好む色で形成されており、害虫の捕獲性を可及的に高めてある。
なお、本実施形態のトラップ部材１８は、屋根型（シート材を二つ折りして「く」字状に傾斜させた形状）に形成させることで、捕獲容器１６の容器内天井部に沿って下面が上方へ凹む形状とした。そして、この凹み形状の下面に、粘着面（粘着剤１８ｂ）が設けられるようにしてある。
【００２３】
これにより、粘着面の面積は可及的に広く形成されたものとなり、それだけ害虫の捕獲性が高められる。また、捕獲容器１６内を飛翔する害虫に対して、その羽根が粘着面に接触する可能性が高くなるため、それだけ害虫の捕獲性が高くなる。
以上、詳説したところから明かなように、本発明に係る害虫駆除装置１及びこれを具備して成る飼育ケース２では、飼育ケース２内（ケース本体５内）で発生した害虫は、ケース本体５内を飛翔するうちに、遮蔽部１７の害虫用の侵入孔２７に誘われて捕獲容器１６の容器内へ侵入する。
【００２４】
コバエのような飛翔する害虫は、一般に余り歩くのが得意ではないために、直ぐにその場から上方に飛び立つ習性があり、一旦、捕獲容器１６内に入った害虫は、下方の侵入孔２７から容易に脱出することができず、飛翔すればトラップ部材１８が捕獲容器１６の天井部に存在するので、その粘着面に羽根や足、その他躯体の一部などが付着して捕獲される。このようになれば、害虫は二度とケース本体５内へ戻ることは出来なくなる。
また、飼育ケース２内（ケース本体５内）で飼育する昆虫等に対し、給水や給餌のためケース蓋６を外し、ケース本体５の上部から仕切り部材１５の一部又は全部をめくり上げるようにした場合であっても、捕獲容器１６内でトラップ部材１８に捕獲された害虫が外へ飛び出すことはない。
【００２５】
そして、飼育ケース２内にあって、捕獲容器１６はケース蓋６内の天井スペース７へ設けるようにしてあるので、ケース本体５内が徒に狭くなることはないし、捕獲容器１６内に土などが混入することはなく、トラップ部材１８の粘着性が低下するといったことはない。勿論、昆虫等がトラップ部材１８によって捕獲されてしまうといった問題も発生しないので、飼育ケース２内の昆虫等に対して、安全且つ快適な環境を与えることができる。
なお、飼育ケース２に対して害虫駆除装置１を装着するに際しては、トラップ部材１８を入れた捕獲容器１６と遮蔽部１７とで仕切り部材１５を挟持させるだけで仕切り部材１５に対する捕獲容器１６の取り付けができるものであるし、またこのように捕獲容器１６を取り付けた仕切り部材１５の外周部を、飼育ケース２のケース本体５とケース蓋６との上下間で挟持させるだけで、全ての装着手順が完了するという極めて簡単なものであり、取り扱いが極めて容易となっている。
【００２６】
ところで、本発明は、上記実施形態に限定されるものではなく、実施の形態に応じて適宜変更可能である。
例えば、仕切り部材１５に設ける通気孔２２の大きさや遮蔽部１７に設ける侵入孔２７の大きさなどは、対象とする害虫の大きさや習性に応じて適宜変更可能である。また、トラップ部材１８の粘着面（粘着剤１８ｂ）やこのトラップ部材１８等に施す色などについても、対象とする害虫に応じて、種々変更することが可能である。
仕切り部材１５、捕獲容器１６、遮蔽部１７、トラップ部材１８において、それぞれ細部にわたる構造や材質、大きさなどは本発明の主旨から逸脱しない範囲で前記したように種々変更可能である。
【００２７】
飼育ケース２内で魚類やは虫類、植物類を飼育、観察する場合も、本発明に係る害虫駆除装置１を使用することができる。
【図面の簡単な説明】
【００２８】
【図１】図２のＡ−Ａ線断面図である。
【図２】本発明に係る害虫駆除装置１を装着した飼育ケース２の一実施形態示した斜視図である。
【図３】本発明に係る害虫駆除装置の分解斜視図である。
【図４】図１のＢ部拡大図である。
【図５】図３のＣ部を拡大して示した平面図である。
【図６】図４のＤ−Ｄ線矢視図である。
【符号の説明】
【００２９】
１  害虫駆除装置
２  飼育ケース
５  ケース本体
６  ケース蓋
７  天井スペース
１５  仕切り部材
１６  捕獲容器
１７  遮蔽部
１７ａ  嵌合部
１７ｂ  外周部
１８  トラップ部材
２１  容器取付口
２２  通気孔
２５  フランジ部
２７  侵入孔
【図１】
2010130947.tif 000003
【図２】
2010130947.tif 000004
【図３】
2010130947.tif 000005
【図４】
2010130947.tif 000006
【図５】
2010130947.tif 000007
【図６】
2010130947.tif 000008